(57)【要約】【課題】最小単位がフレーム単位であるタイムコードの付された複数のディジタル記録テープを調相再生し、それぞれのテープに指定された位置でシームレスに繋ぎ合わせた映像信号を再生することにある。【解決手段】第１のテープ１６ａ及び第２のテープ１６ｂを再生するＶＴＲ１ａ、及びＶＴＲ１ｂのＴＣ回路１１より、夫々のテープを再生時のタイムコードを交互に繰り返して読み、第ｎ回目及びｎ＋２回目と、第ｎ＋１回目及びｎ＋３回目とのそれぞれのタイムコード同士がお互いに同一であるタイムコードを求め、それらのタイムコードの差が所定値になるように第２テープの再生速度を速度設定回路１２の速度設定を間欠的に変化させて、第１及び第２のディジタル記録テープの調相制御を行い、指定位置で第１のテープから第２のテープに再生を切換回路１４で切換えるようにして、連続する映像信号を出力するようにした。【選択図】      図１
2004193767.tif 000002
【特許請求の範囲】
【請求項１】
第１のテープ状記録媒体に再生終了画面の位置を指定すると共に第２のテープ状記録媒体に再生開始画面の位置を指定し、第１の媒体から再生される再生終了画面の位置までの映像信号に連続させて、第２の媒体から再生される再生開始画面の位置以降の映像信号を出力するためのディジタル記録テープの調相再生方法であり、
前記第１のテープ状記録媒体は、第１の映像信号を符号化した符号化映像信号と、その符号化映像信号の記録位置に係る絶対アドレスを画像単位でインクリメントして記述する第１のタイムコードとを記録した媒体であると共に、
前記第２のテープ状記録媒体は、第２の映像信号を符号化した符号化映像信号と、その符号化映像信号の記録位置に係る絶対アドレスを画像単位でインクリメントして記述する第２のタイムコードとを記録した媒体であるディジタル記録テープの調相再生方法において、
前記再生終了画面の位置を指定する前記第１のタイムコードの値である第１のタイムコード値と、前記再生開始画面の位置を指定する前記第２のタイムコードの値である第２のタイムコード値との差である同期タイムコード差を求める第１のステップと、
前記第１のテープ状記録媒体の再生を通常再生速度で開始する第２のステップと、
前記第１のテープ状記録媒体を通常再生速度で再生して得られる前記第１のタイムコードが前記第１のタイムコード値に対して所定時間手前に達したときに、前記第２のタイムコード値に対して前記所定時間手前から再生が開始される位置と想定される位置より、前記第２のテープ状記録媒体の再生を通常再生速度で開始する第３のステップと、
前記第１のテープ状記録媒体を通常再生速度で再生して得られる前記第１のタイムコードと、前記第２のテープ状記録媒体を通常再生速度で再生して得られる前記第２のタイムコードとの読み出しを交互に複数回繰り返し、第ｎ回目及び第ｎ＋２回目（ｎは自然数）に読み出したタイムコードの値が同一値である第１の同一タイムコード値となり、且つ第ｎ＋１回目及び第ｎ＋３回目に読み出したタイムコードの値が同一値である第２の同一タイムコード値となるまでタイムコードの読み出しを行う第４のステップと、
前記第１の同一タイムコード値と前記第２の同一タイムコード値との差である同一タイムコード差を求める第５のステップと、
前記同一タイムコード差と前記同期タイムコード差とを比較し、前記同一タイムコード差の方が大きいときは前記第２のテープ状記録媒体の再生速度を通常再生速度よりも大きく設定すると共に、前記同一タイムコード差の方が小さいときは前記第２のテープ状記録媒体の再生速度を通常再生速度よりも小さく設定して、第２のテープ状記録媒体を所定画像枚数区間走行させる第６のステップと、
その第６のステップの後、前記第２のテープ状記録媒体の再生速度を通常再生速度に戻して前記第２の映像信号及び前記第２のタイムコードを再生する第７のステップと、
前記同一タイムコード差と前記同期タイムコード差とが等しくなるまで前記第４から第７のステップを繰り返す第８のステップと、
その第８のステップの後、前記再生終了画面の再生終了タイミングで、映像信号出力を前記第１のテープ状記録媒体から再生される第１の映像信号から、前記第２のテープ状記録媒体から再生される第２の映像信号に切換える第９のステップと、
を有することを特徴とするディジタル記録テープの調相再生方法。
【発明の詳細な説明】
【０００１】
【発明の属する技術分野】
本発明は、映像及び音声等のディジタルコンテンツのオーサリング装置に係わり、特に、長時間の映画やドラマなどを複数のテープに記録した信号を１つのディジタルコンテンツの再生信号として、つなぎ合わせた映像信号を出力するディジタル記録テープの調相再生方法に関するものである。
【０００２】
【従来の技術】
従来より、複数のアナログ磁気記録テープにドラマなどのシーンを予め集録しておき、それぞれのシーンを同期させながら再生し、つなぎ合わせるようにして編集済みマスターテープを作成するアナログ磁気記録テープの調相編集システムがある。
【０００３】
そして、テープ編集は、多くのシーン素材テープの頭出し、及び同期再生しつつ行う編集作業は煩雑であるため、シーン記録のされた素材テープをハードディスクなどのアクセス可能なメディアに記録し、シーン素材を所定の順にランダムアクセスしながら再生し、時間編集された出力信号として再生するものがある（例えば、特許文献１参照。）。
【０００４】
さらに、近年、映画等のコンテンツのフィルムの編集の効率化を行い、短時間で編集作業を行うための工夫もなされるようになってきた。
一方、編集されて制作された映画等のコンテンツを記録したフィルムはロール単位で管理され、複数ロールに分割されて映画館などに配給される。
【０００５】
そして、分割されたコンテンツフィルムは、映写現場において複数の映写機を用いて交互に映写することにより連続した１つのコンテンツとして上映されるようになされている。ロール単位で映写を行う映画館での使用に対しては好適な配給方法である。
【０００６】
また、それらの複数ロールのコンテンツを映画番組として放送する、ＣＡＴＶ網に送出する、ないしは長時間記録媒体に記録する場合においては、複数ロールのコンテンツを連続して再生することはできるものの、操作は煩雑である。そこで、事前に複数ロールのコンテンツを連続する１つのコンテンツに繋ぎ合わせておき、それを用いて再生する方法もある。
【０００７】
例えば、ロール分割されたコンテンツのそれぞれをハードディスクに記録し、それらを連続して順に再生するようにして１つの連続するコンテンツとして再生できるようにしておき、それにより連続送出、及び長時間記録媒体の作成などに用いられる。
【０００８】
しかし、ロール分割されたコンテンツをハードディスクにコピーするのは煩雑である。そこで、制作された高画質な映像信号をテープに記録して配給する方法もある。また、ＨＤＴＶなどの高画質な映像信号を記録するテープの場合では、最大再生時間は２時間程度に制限されてしまうため、例えば２時間を超える映画コンテンツは複数本数のディジタルテープに分割記録されることになる。ロール本数よりは少ないものの１本のマスターテープとして制作することができなく、やはり連続再生に対して不便である。
【０００９】
そこで、複数のマスターテープを複数のＶＴＲを用いて順次切換制御しながら連続再生する方法がある（例えば、特許文献２参照。）。その方法によれば、第１のテープ媒体に連続再生エンドモード領域を、第２のテープ媒体に連続再生スタートモード領域を形成することで再生信号を切り替えて繋げた信号として再生を行っている。
【００１０】
【特許文献１】
特開平１０−３４１３９８号公報
【特許文献２】
特開平５−９４６５２号公報
【００１１】
【発明が解決しようとする課題】
しかしながら、この場合では、調相方法や出力映像信号が同期するようにタイミングを合わせる方法については、テープ媒体に記録された切り替え信号を使用するため、任意の場所で切り替えるのは困難である。
【００１２】
さらに、映像信号をディジタル信号に変換して記録するディジタルテープレコーダは、テープ媒体上のディフェクトによる画像の乱れを目立たなくするためのインターリーブ処理を行い、更には誤り信号を訂正するためのエラー訂正用信号も記録するようにしている。また、記録する信号をフレーム内符号化、及びフレーム間符号化などにより圧縮符号化して記録する場合がある。
【００１３】
その符号化を行って記録したディジタル記録テープの再生は、記録媒体を再生した後それらの符号化信号を復号化して再生するため、記録媒体が再生されて得られる映像信号はそれらの信号処理を終えた後に出力されるため、所定の時間を必要とすると共に、その時間も再生を開始した部分の記録内容によって異なった値となる。
【００１４】
さらに、それらの信号処理を終えた信号を、スムーズに連続した映像信号として出力するために、通常ビデオバッファアンプを配置する。即ち、ディジタル記録テープ再生装置は、内蔵されたビデオバッファに記憶する映像信号のオーバフロー、及びアンダーフローが生じないように記憶される映像信号のデータ量制御を行うようにしている。
【００１５】
上記のようにして、ディジタル記録テープを再生して得られる映像信号は、記録媒体を再生して後に変動する処理時間を経過した後にしか得ることが出来なく、単に媒体の記録位置に係るタイムコードを基にした再生のみでは映像信号の時間位置が特定出来ない。
そのため、複数のディジタルビデオテープを連続して繋ぎ合わせ再生をしようとするときに生じる映像信号が再生されるまでの時間の不確定さを解決して同期再生を行う必要がある。
【００１６】
本発明は、以上の点に鑑みてなされたものであり、再生位置に対して特定が困難であるディジタルテープ状記録媒体に記録された複数の映像信号を、シームレスな連続した映像信号として再生するディジタル記録テープの調相再生方法を実現する。
【００１７】
即ち、そのディジタル記録テープの調相再生は、画像枚数を最小単位とするタイムコードを出力するディジタルＶＴＲの調相に対しても好適に動作するようにする。そして、市場にあるディジタルＶＴＲに改造を加えることなく、単にパソコンなどの制御装置を接続することにより、好適な調相同期再生を行えるようにする。それにより、複数のディジタル記録テープを任意の接続点で繋ぎ合わせた連続映像再生信号を得るディジタル記録テープの調相再生方法を提供することを目的とするものである。
【００１８】
【課題を解決するための手段】
本発明は、上記課題を解決するために以下の手段より成るものである。
すなわち、
【００１９】
第１のテープ状記録媒体に再生終了画面の位置を指定すると共に第２のテープ状記録媒体に再生開始画面の位置を指定し、第１の媒体から再生される再生終了画面の位置までの映像信号に連続させて、第２の媒体から再生される再生開始画面の位置以降の映像信号を出力するためのディジタル記録テープの調相再生方法であり、
前記第１のテープ状記録媒体は、第１の映像信号を符号化した符号化映像信号と、その符号化映像信号の記録位置に係る絶対アドレスを画像単位でインクリメントして記述する第１のタイムコードとを記録した媒体であると共に、
前記第２のテープ状記録媒体は、第２の映像信号を符号化した符号化映像信号と、その符号化映像信号の記録位置に係る絶対アドレスを画像単位でインクリメントして記述する第２のタイムコードとを記録した媒体であるディジタル記録テープの調相再生方法において、
前記再生終了画面の位置を指定する前記第１のタイムコードの値である第１のタイムコード値と、前記再生開始画面の位置を指定する前記第２のタイムコードの値である第２のタイムコード値との差である同期タイムコード差を求める第１のステップ（Ｓ１）と、
前記第１のテープ状記録媒体の再生を通常再生速度で開始する第２のステップ（Ｓ２）と、
前記第１のテープ状記録媒体を通常再生速度で再生して得られる前記第１のタイムコードが前記第１のタイムコード値に対して所定時間手前に達したときに、前記第２のタイムコード値に対して前記所定時間手前から再生が開始される位置と想定される位置より、前記第２のテープ状記録媒体の再生を通常再生速度で開始する第３のステップ（Ｓ５）と、
前記第１のテープ状記録媒体を通常再生速度で再生して得られる前記第１のタイムコードと、前記第２のテープ状記録媒体を通常再生速度で再生して得られる前記第２のタイムコードとの読み出しを交互に複数回繰り返し、第ｎ回目及び第ｎ＋２回目（ｎは自然数）に読み出したタイムコードの値が同一値である第１の同一タイムコード値となり、且つ第ｎ＋１回目及び第ｎ＋３回目に読み出したタイムコードの値が同一値である第２の同一タイムコード値となるまでタイムコードの読み出しを行う第４のステップ（Ｓ６）と、
前記第１の同一タイムコード値と前記第２の同一タイムコード値との差である同一タイムコード差を求める第５のステップ（Ｓ６）と、
前記同一タイムコード差と前記同期タイムコード差とを比較し、前記同一タイムコード差の方が大きいときは前記第２のテープ状記録媒体の再生速度を通常再生速度よりも大きく設定すると共に、前記同一タイムコード差の方が小さいときは前記第２のテープ状記録媒体の再生速度を通常再生速度よりも小さく設定して、第２のテープ状記録媒体を所定画像枚数区間走行させる第６のステップ（Ｓ８、Ｓ９、Ｓ１０）と、
その第６のステップの後、前記第２のテープ状記録媒体の再生速度を通常再生速度に戻して前記第２の映像信号及び前記第２のタイムコードを再生する第７のステップ（Ｓ１１）と、
前記同一タイムコード差と前記同期タイムコード差とが等しくなるまで前記第４から第７のステップを繰り返す第８のステップ（Ｓ７）と、
その第８のステップの後、前記再生終了画面の再生終了タイミングで、映像信号出力を前記第１のテープ状記録媒体から再生される第１の映像信号から、前記第２のテープ状記録媒体から再生される第２の映像信号に切換える第９のステップ（Ｓ１２、Ｓ１３）と、
を有することを特徴とするディジタル記録テープの調相再生方法。
【００２０】
【発明の実施の形態】
以下、本発明のディジタル記録テープの調相再生方法の実施の形態につき、好ましい実施例により、図面を参照して説明する。
＜第１実施例＞
図１は、本発明の第１の実施例に関わるオーサリング装置の概略構成例である。
【００２１】
同図に示すオーサリング装置１は、タイムコード（ＴＣ）回路１１、速度設定回路１２、インタフェース（Ｉ／Ｆ）回路１３、切換回路１４、録再回路１５、及び記録媒体１６ａよりなる第１のＶＴＲ１ａと、第１のＶＴＲ１ａに比し記録媒体１６ａの代りに記録媒体１６ｂを有している第２のＶＴＲ１ｂと、パソコン（ＰＣ）３、と信号発生器（ＳＳＧ）４と、ＭＰＥＧエンコーダ５とより構成される。
【００２２】
そして、それぞれの記録媒体１６ａ及び１６ｂには、映像信号の記録位置に係る絶対アドレスが画像枚数単位でタイムコードとして付されている。また、記録媒体１６ａに記録される映像信号のうち、再生が行われる映像信号の最後の画像部分が再生終了画面として、例えばＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒ）タイムコードにより指定される。
【００２３】
さらに、記録媒体１６ｂには、記録媒体１６ａの再生終了画面の次に再生すべき再生開始映像信号の最初の画像部分が再生開始画面としてタイムコードにより指定される。そして、オーサリング装置１はそれぞれの記録媒体１６ａ及び１６ｂの再生をタイムコードを検出しつつ行い、それぞれの記録媒体１６ａ及び１６ｂのシームレスな繋ぎ再生を行うように動作する。
【００２４】
次に、繋ぎ再生動作について概説する。なお、ＶＴＲ１ａとＶＴＲ１ｂとはそれぞれが異なる記録媒体１６ａ及び記録媒体１６ｂの再生を行う。そして、第１のＶＴＲ１ａ及び第２のＶＴＲ１ｂには、ＳＳＧ（Ｓｔａｎｄａｒｄ  Ｓｉｇｎａｌ  Ｇｅｎｅｒａｔｏｒ）４からの同期信号が供給されており、標準速度再生時には、それぞれのＶＴＲから位相同期された再生信号が得られる。
ここで、それぞれのＶＴＲ１ａ及び１ｂの構成は同一であるので、ＶＴＲ１ａの動作を主に述べる。
【００２５】
まず、速度設定回路１２により、ＶＴＲの再生速度が設定される。その再生速度は標準再生速度に対して０．１％の細かさで高速再生、又は低速再生の指定が出来る。そして、ＴＣ（Ｔｉｍｅ  ｃｏｄｅ）回路１１では、記録及び再生中の映像信号のテープ記録位置に係るタイムコードが生成される。そのタイムコードは動画を構成する画像の枚数ごとの細かさ、即ちフレーム数を最小単位とした時間により記述される。
【００２６】
録再回路１５では、切換回路１４から供給される映像信号はディジタル信号に変換され、その変換された信号に対して圧縮符号化、誤り訂正信号の付加、インターリーブ処理、及びディジタル変調などが行われ、ＴＣ回路１１で生成されたタイムコードと共に記録媒体１６ａに記録される記録信号が生成される。
【００２７】
その記録信号は図示しないロータリーヘッドによって記録媒体１６ａに記録される。そして、記録された信号の読み出しは、ロータリーヘッドが用いられて行われ、読み出された信号は録再回路１５に供給される。そこでは、ディジタル復調、デインターリーブ処理、及び誤り信号の訂正処理などがなされて圧縮符号化信号が得られる。
【００２８】
その圧縮符号化信号は、記録時の処理と相補的な動作により再生処理がなされて、映像信号が再生されると共に、再生された映像信号は図示しないビデオＲＡＭに一時記憶される。そして、ＳＳＧ４から供給される同期用駆動信号に基づいてビデオＲＡＭに一時記憶された映像信号は読み出され、切換回路１４に供給される。
【００２９】
その切換回路１４では、入力された映像信号はそのままＥ−Ｅ（Ｅｌｅｃｔｒｉｃ  ｔｏ  Ｅｌｅｃｔｒｉｃ）出力信号として出力されるか、又は記録媒体１６ａから読み出された信号を再生処理して得られた映像信号が出力されるかなど、切換えられた一方の信号を出力させる回路である。
【００３０】
また、それらの出力信号の切換えタイミングはパソコン（ＰＣ）３により制御される。即ち、ＴＣ回路１１で生成されたタイムコードはインタフェース１３を介してパソコン３に供給される他、パソコン３によりテープ再生に係る切換えタイミングがタイムコードにより切換回路１４に指定され、その切換回路１４ではその指定された時間に出力信号が切換えられる。
【００３１】
また、パソコン３からの制御信号はインタフェース１３を介して速度設定回路１２に、再生速度の設定命令として供給されることにより、記録媒体１６ａの再生速度の可変がなされる。
【００３２】
以上述べたように構成されるオーサリング装置１のＶＴＲ１ｂは、入力される映像信号又は記録媒体１６ｂを再生して得らえる映像信号のいずれか一方が切換回路１４により切換えられて出力され、その出力信号はＶＴＲ１ａに供給される。そして、ＶＴＲ１ａは、ＶＴＲ１ｂから供給される信号又は記録媒体１６ａを再生して得られる信号が切換回路１４により切換えられて出力され、その出力はＭＰＥＧエンコーダ５に入力されるようになされている。
【００３３】
そのＭＰＥＧエンコーダ５では、供給された映像信号が符号化され、その符号化された符号化信号出力がオーサリング装置１から出力される。そして、符号化信号出力は、必要に応じてフォーマット変換を行った後にＤ−ＶＨＳ（Ｄ−ＶＨＳは日本ビクター株式会社所有の登録商標である）などのＶＴＲ装置に供給されて記録される、ＣＡＴＶなどの送出装置に供給されて配信される、又はインターネットへの送出装置に供給されてインターネット放送として通信ネットワークに配信されるなどの、映像出力信号として用いられる。
【００３４】
そして、オーサリング装置１から出力される映像信号は、記録媒体１６ａ及び記録媒体１６ｂの、それぞれの合計される記録時間の信号を連続再生して出力できるなど、長時間の番組映像信号の供給源として用いられる。
【００３５】
次に、それぞれの記録媒体１６ａ及び１６ｂの連続再生動作についてさらに述べる。
図２に、連続して再生すべき２つの記録媒体に対して指定される、再生終了のタイムコード及び再生開始のタイムコードなどを設定するための表示画面例を示す。
【００３６】
同図において、表示画面の上部には１０００フレーム毎に１フレームの画像をスキップして再生する、いわゆるドロップフレームによるタイムコードを使用する場合の指定ボックスがあり、そのボックス内にマークを付してドロップフレームに対応したタイムコードを用いる場合に対応する。
【００３７】
その下に示される領域は、ＶＴＲに対する再生開始タイムコード（Ｉｎ  Ｐｏｉｎｔ  ＴＣ）と、再生終了タイムコード（Ｏｕｔ  Ｐｏｉｎｔ  ＴＣ）を指定するための領域であり、同図の場合ではＶＣＲ（Ｖｉｄｅｏ  Ｃａｓｓｅｔｔｅ  Ｒｅｃｏｒｄｅｒ）の識別番号（ＩＤ）が１であるＶＴＲ１ａに対して、１時間１２分３４秒１２フレームの位置から２時間２２分５５秒２４フレームまで再生する指定を行う場合を示している。
【００３８】
ＶＣＲのＩＤが２であるＶＴＲ１ｂに対しては、同図の左下に示すＰａｇｅで００２を指定し、ＶＴＲ１ａと同様に指定する。それらの指定されたタイムコードが用いられて、例えば記録媒体１６ａの再生終了位置に続けて記録媒体１６ｂの再生開始の位置より再生するなどの連続再生を指定する。
次に、記録媒体１６ａ及び記録媒体１６ｂの連続再生について述べる。
【００３９】
図３に、２台のＶＴＲで再生されるそれぞれの記録媒体１６ａ（以降、テープＡと記すこともある）及び記録媒体１６ｂ（以降、テープＢと記すこともある）の連続再生動作に係るタイミングの関係を示す。
同図に示す（ａ）はＶＴＲ１ａで再生されるテープＡの記録内容、再生個所、及び再生制御命令を発行するタイミングを示している。そして、（ｂ）にはＶＴＲ１ｂで再生されるテープＢのブランク記録部分を含む記録内容、再生個所、及び再生制御命令の発行タイミングを示している。
【００４０】
また（ｃ）には、ＶＴＲ１ａにおける切換回路１４の切換タイミングを示しており、切換えられたＶＴＲ１ａの出力信号はＭＰＥＧエンコーダ５に供給される信号である。
【００４１】
切換タイミングについてさらに述べる。即ち、テープＡがタイムコードＴ１ａからＴ１ｂまで再生され、それに続けてテープＢのＴ２ａからＴ２ｂまでが再生される場合の動作タイミングについて述べる。
【００４２】
ここで、ＶＴＲ１ａの切換回路１４の切換時間は、信号切換命令を受けて５フレーム後に切換動作が実行されるようになっている。従って、時間Ｔ１ｂにおいてテープＡからテープＢに切換えた再生信号を得るためには、その切換時Ｔ１ｂに対して５フレーム前の時間Ｔ１ｄにおいて切換信号（ＥＥ  ＯＮ命令）を発する必要がある。
【００４３】
また、ここで、ＶＴＲ１ａとＶＴＲ１ｂの調相同期に必要とされる時間を１分間とする。そして、テープＢの再生開始位置を、切換時間Ｔ２ａの１分間手前の位置であるＴ２ｃの位置にするようにし、ＶＴＲ１ｂは再生命令によりそこからテープＢの再生が開始されるように、テープＡ及びテープＢをプリロールの状態とする。
【００４４】
次に、ＶＴＲ１ａをテープＡのタイムコードＴ１ａの位置より再生を開始する。テープＡのタイムコードがＴ１ｂの１分間手前であるＴ１ｃに達したときにＶＴＲ１ｂの再生を開始する。
【００４５】
そして、テープＡの再生中のタイムコードＴ１ｆとテープＢの再生中のタイムコードＴ２ｆとの時間差を計算し、予め求めてあるＴ１ｂとＴ２ａの時間差である信号切換点における時間差よりも大きいか否かを比較する。
【００４６】
そして、再生中のタイムコードの差の方が大きいときには後述の方法によりＶＴＲ１ｂの再生速度を増加させ、差が小さいときには再生速度を減少させるようにして、再生中の時間差と信号切換点での時間差が同一になるまで再生速度の可変動作を繰り返す。
【００４７】
それらの時間差が同一となったときは、テープＡとテープＢとは調相同期再生していることになるので、通常速度再生を継続する。そして、テープＡのタイムコードがＴ１ｄになったときに切換命令信号（ここではＥＥ  ＯＮ命令）を発生させ、その５フレーム後に、テープＡのＴ１ｂの位置の画像に続けて、Ｔ２ａから開始されるテープＢの画像を再生する。
【００４８】
その後、テープＡはブランク部の記録が終了した位置で再生が停止され、テープＢは記録内容が終了するまで再生を継続し、その後再生を停止させるようにして、同期調相再生動作を終了する。
【００４９】
なお、このような同期調相の動作は、ＶＴＲ１ａ及びＶＴＲ１ｂからＴＣ回路１１を介して出力されるタイムコードがフレーム位置を最小単位とする場合に対して同期調相を行ったものである。
【００５０】
そして、ＶＴＲ１ａ及びＶＴＲ１ｂはＳＳＧ４から水平及び垂直の同期期間に係る同期信号が供給されているため、タイムコードがフレーム位置を最小単位として制御する場合に対しても走査線単位での調相がなされる。従って、テープＡ及びテープＢから再生される映像信号は、完全に調相同期の取れた信号としてＭＰＥＧエンコーダ５に供給される。
【００５１】
以上により、市場に供給されている通常のＶＴＲを用い、そのＶＴＲから供給される最小時間間隔がフレーム単位であるタイムコードをインタフェース回路を介して取得することにより、ディジタル記録テープの繋ぎ再生を可能にすることができる。
【００５２】
次に、上述の繋ぎ再生動作について更に述べる。
図４に、同期調相動作の前半部の動作を、また図５にその後半部の動作をフローチャートにより示し、同図を参照して説明する。
【００５３】
まず、Ｓ（ステップ）１において、テープＡとテープＢの繋ぎ再生を行うためのタイムコードＴ１ａ、Ｔ１ｂ、Ｔ２ａ及びＴ２ｂを設定する。そして、Ｔ１ｂとＴ２ａとの差の時間であるｄ１を求める。さらに、ＶＴＲ１ａのテープＡのタイムコードをＴ１ａの位置に、またＶＴＲ１ｂのテープＢのタイムコードをＴ２ａの位置になるように再生開始位置の設定（キューアップ）を行う。
【００５４】
次に、Ｓ２においてＶＴＲ１ａの再生を開始する。そして、Ｓ３においてＶＴＲ１ａのタイムコードＴ１を監視し、Ｓ４においてそのタイムコードがＴ１ｃに達するか否かをチェックする。Ｓ３及びＳ４の動作を、Ｔ１＝Ｔ１ｃとなるまで繰り返し、Ｔ１＝Ｔ１ｃとなったときにはＳ５においてＶＴＲ１ｂの再生を開始する。
【００５５】
次に、ＶＴＲ１ａのタイムコードＴ１及びＶＴＲ１ｂのタイムコードＴ２のそれぞれの値を読み出し、Ｔ１とＴ２との差の時間ｄｘを求める。Ｓ７で、ｄ１とｄｘが同一の値であるか否かがチェックされ、同一である場合には２つのＶＴＲは調相関係にあるため、Ｓ１２においてＴ１がＴ１ｄとなるまで再生動作を継続する。
【００５６】
そして、Ｔ１＝Ｔ１ｄとなったときに、Ｓ１３においてテープＡの再生信号をテープＢの再生信号に切換えるための切換信号がパソコン３よりＶＴＲ１ｂの切換回路１４に供給され、そこでは５フレーム経過後に信号の切換動作がなされる。Ｓ１４において、テープＡのブランク部分の再生終了後、又はテープＡを所定の個所まで再生した後に、再生を停止する。
【００５７】
また、上記のＳ７においてｄ１とｄｘとが等しくないとされる場合には、Ｓ８においてｄ１＜ｄｘであるかがチェックされ、ｄ１＜ｄｘであるときにはＳ１０においてＶＴＲ１ｂの再生速度を１０％増加させる。そして、Ｓ１１において一定時間後（例えば６フレーム時間経過後）を待って、増加させた再生速度を通常速度に戻し、そのまま速度が安定するまでの時間（例えば６０フレーム時間＝２秒間）再生を継続する。その後Ｓ６以降の動作を繰り返す。
【００５８】
さらに、上記のＳ７においてｄ１とｄｘとが等しくなく、Ｓ８においてｄ１＜ｄｘでないとされるときにはＳ９においてＶＴＲ１ｂの再生速度を１０％減少させる。そして、Ｓ１１において６フレーム経過後に、減少させた再生速度を通常速度に戻し、２秒間再生を継続し、その後Ｓ６以降の動作を繰り返す。
【００５９】
次に、Ｓ６における、ＶＴＲ１ａ及びＶＴＲ１ｂのそれぞれのタイムコードをパソコン３により読み出し、それらの時間差ｄｘを求める方法について更に述べる。
図６に、テープＡ及びテープＢのタイムコードと、パソコン３により行われるタイムコード読み出しの時間関係を記す。
【００６０】
同図において、自然数ｎ、及びｍにより、それぞれのテープＡ及びテープＢのタイムコードをフレーム数で示したものである。そして、パソコン３により駆動され、インタフェース１３を介して読み出されるＴＣ回路１１のタイムコードはテープＡ及びテープＢに対して交互に行なわれる。
【００６１】
そして、パソコン３はテープＡ及びテープＢのタイムコードを同時に読み出すことは出来ない。そして、タイムコードは離散的に表現されるため、インクリメントされる時点の近くで読み出されたタイムコードには０．５フレームの誤差が含まれることになる。
【００６２】
従って、０．５フレームづつの誤差を含むタイムコードを用いて求めた時間差ｄｘも最大で１フレームの誤差を含むことになる。そして、その誤差のある時間差を基に同期調相の制御を行う場合は、時間差を小さくなるように調相制御を行ったにも拘らず時間差が拡大されて検出されてしまうこともあり、調相の制御が発振してしまうこともある。
【００６３】
そこで、パソコン３は次のようにしてタイムコードの読み出しを行なう。
１）  テープＡとテープＢのそれぞれのタイムコードを交互に読み出す。
２）  １回おきに読み出されるテープＡのそれぞれのタイムコード同士が同一であり、且つ１回おきに読み出されるテープＢのそれぞれのタイムコード同士が同一となるまで読み出しを継続する。
３）  上記２）で得られたテープＡ及びテープＢのタイムコードを用いて時間差ｄｘを求める。
【００６４】
その後の調相動作は前述の図４及び５に示した方法により行う。
そのような、テープＡ及びテープＢより得られる同一値であるタイムコードを用いて調相制御を行うことにより、タイムコードに含まれる誤差を小さくできるため、上記のような制御動作が発振してしまうような動作が生じなく、例えば１分間以内に調相制御を行うことが出来る。
【００６５】
次に、Ｓ１１における再生速度の可変について述べる。
ここに示した実施例では、６フレームの期間速度を１０％高く又は低く再生して後に２秒間標準再生速度で再生し、その後にＳ６での時間差ｄｘを求めるように動作させる。
【００６６】
６フレームの期間速度を１０％高くすることは、それにより０．６フレーム分だけテープが早く進められ、その後２秒経過した定常状態におけるタイムコードの読み出しがなされることになる。
【００６７】
そして、それぞれの時間差ｄ１とｄｘの差が小さくならないときには例えば再生速度をさらに１％高い１１％に設定して６フレームの期間再生し、その後２秒後にタイムコードの読み出しを行うようにして、時間差ｄｘを短時間にｄ１に近づけるように再生速度の大きさを変化させながら調相動作を行う。
【００６８】
ここで、標準速度に設定して後に２秒経過した時点で時間差ｄｘを計測するのは次による。即ち、ＶＴＲ１ｂの録再回路１５には、適応的に圧縮符号化されて再生される映像信号を連続した信号として出力するために、図示しないフレームメモリ回路を内蔵させる。
【００６９】
そのフレームメモリ回路により圧縮率の高い信号はより長い期間フレームメモリ内に記憶しておき、反対に圧縮率の低い信号はより短い期間フレームメモリ内に記憶するようにして、圧縮率の異なる映像信号に対しても連続した復号化映像信号として出力出来るようにするものである。
【００７０】
しかし、その動作は標準速度で再生される映像信号に対しては好適に動作するものの、再生速度を変えて再生する映像信号に対しては適当な位置において１フレーム分の映像信号が挿入される、又は間引かれるようにして再生速度の調整がなされる。
【００７１】
そして、その再生速度の調整はフレームメモリ回路に蓄積される映像信号の量がフルに近いか、又はエンプティに近いかにより異なった動作がなされることもある。従って、再生速度調整後にフレームメモリ回路のオーバフロー又はアンダーフローを生じなくするために、再生フレーム数の調整がなされる。
【００７２】
ＶＴＲ１ａの調相動作は、そのようなフレーム数調整のなされた後のタイムコードを用いるようにして調相制御を行う必要があり、時間差を求めるためのタイムコードの計測はＶＴＲのフレーム数調整動作後に行うため、再生速度変更後は所定時間通常再生を行って安定動作後にタイムコードの読み出しが行われるようにしている。
【００７３】
以上、２台のＶＴＲ１ａ及びＶＴＲ１ｂを調相制御することによりテープＡとテープＢの所定個所をシームレスに繋ぐようにして連続再生するオーサリング装置１の構成とその動作について述べた。なお、その連続再生は複数台のＶＴＲに対して同様に行なうことができ、複数のテープを次々と繋ぎながら長時間連続再生することができる。
【００７４】
次に、複数のテープを、複数のＶＴＲを調相制御して連続再生を行う場合の応用システムについて述べる。
＜第２実施例＞
図７に、本発明の第２の実施例に関わるオーサリング装置の概略構成を示し、図面を参照し、その動作について説明する。なお、説明の簡略のため、第１の実施例における構成と同一の構成については、同一の参照符号を付し、その説明を省略する。
【００７５】
同図に示すオーサリング装置２は、ＶＴＲ１ａ、ＶＴＲ１ｂ、パソコン３、信号発生器４、ＭＰＥＧエンコーダ５、及びＤ−ＶＨＳフォーマッタ６より構成される。そして、オーサリング装置２の出力はＤ−ＶＨＳ記録器７に接続されている。
【００７６】
まず、ＶＴＲ１ａにはテープＡが、ＶＴＲ１ｂにはテープＢが格納されており、それらのテープはパソコン３により設定されるテープＡの再生終了画面のタイムコード、及びテープＢの再生開始画面のタイムコードを基に２つのテープの連続再生が行われる。
【００７７】
連続再生して得られる映像信号はＤ−ＶＨＳフォーマッタ６に供給される。そこでは、供給された映像信号をＤ−ＶＨＳ標準により規定される信号フォーマットへの変換処理、及び上記の繋ぎ合わせにより処理されたソフトの目次に係る画像をキャプチャー画像として作成する処理が行われる。
【００７８】
以上のようにして、テープＡの再生終了画面に続けてテープＢの再生開始画面からの映像信号が繋ぎ合わされた高画質ソフト、及び目次画面などの補助データがＤ−ＶＨＳテープに記録される。
【００７９】
そして、マスターテープであるテープＡ及びテープＢの連続再生時間は、通常２時間程度であるが、上記の連続繋ぎ再生を行うことによりそれを超えた再生時間のビデオソフトを、例えば４時間のＨＤＴＶ（Ｈｉｇｈ  Ｄｅｆｉｎｉｔｉｏｎ  ＴＶ）映像記録モードによりＤ−ＶＨＳテープ記録装置に出力し、連続して記録することが可能となる。
【００８０】
以上、本発明の第２の実施例におけるＤ−ＶＨＳテープに４時間の高品位映像を、テープＡ及びテープＢを連続再生した映像信号を供給可能であるオーサリング装置の構成と動作について述べた。
次に、テープＡ及びテープＢの映像信号に新たな信号を付加してＤ−ＶＨＳテープに記録する第３の実施例について述べる。
【００８１】
＜第３実施例＞
図８に、本発明の第３の実施例に関わるオーサリング装置の構成を示し、図面を参照し、その動作について説明する。なお、説明の簡略のため、第１の実施例における構成と同一の構成については、同一の参照符号を付し、その説明を省略する。
【００８２】
同図に示すオーサリング装置２ａは、ＨＤ（Ｈｉｇｈ  Ｄｅｆｉｎｉｔｉｏｎ）−ＶＴＲ１０ａ、ＨＤ−ＶＴＲ１０ｂ、パソコン３、信号発生器（ＳＳＧ）４、ＭＰＥＧエンコーダ５、Ｄ−ＶＨＳフォーマッタ６、ＤＭＲ（Ｄｉｇｉｔａｌ  Ｍｕｌｔｉ  ｔｒａｃｋ  Ｒｅｃｏｒｄｅｒ）４１、ドルビーＥデコーダ（Ｄｏｌｂｙ  Ｅ  Ｄｅｃ）４２、ＡＣ−３エンコーダ４３、ＴＣＧＲ（Ｔｉｍｅ  Ｃｏｄｅ  Ｇｅｎｅｒａｔｏｒ  Ｒｅａｄｅｒ）４４、及びＣＣサーバ（Ｃｌｏｓｅｄ  ＣａｐｔｉｏｎＳｅｒｖｅｒ）４５より構成される。
【００８３】
そして、オーサリング装置２ａの出力は図示しないＤ−ＶＨＳ記録装置に接続されると共に、その出力はＤ−ＶＨＳデコーダ８１、ＭＰＥＧデコーダ８２、及び視聴装置８３で構成されるモニタリングシステムに接続されている。
【００８４】
まず、信号発生器４により発生されるＮＴＳＣブラックバースト（ＢＢ）信号はＤＭＲ４１、ＴＣＧＲ４４、及びＣＣサーバ４５に供給されると共に、発生されるＨＤ３値同期信号はＨＤ−ＶＴＲ１０ａ及びＨＤ−ＶＴＲ１０ｂに供給され、それらの装置は位相同期されて動作する。
【００８５】
また、ＶＴＲ１ａにはテープＡが、ＶＴＲ１ｂにはテープＢが格納され、それらのテープはパソコン３により設定されるタイムコードに従って前述の図１に示した方法により連続再生がなされ、５．１チャンネルの圧縮音声信号、映像信号、及び２チャンネルステレオ音声信号が再生される。
【００８６】
そして、映像信号、及び２チャンネルステレオ音声信号はＭＰＥＧエンコーダに入力されて圧縮符号化がなされる。そして、ＭＰＥＧエンコーダ５には、ＨＤＶＴＲ１０ａ又は１０ｂから再生される５．１チャンネル圧縮音声がドルビーＥデコーダにより復号化され、復号化されて得られる５．１チャンネル音声信号はＡＣ−３エンコーダ４３によりエンコードされて得られるＡＣ３音声信号も共に供給される。
【００８７】
また、ＡＣ−３エンコーダ４３には、ＤＭＲ４１により個別に録音した補助５．１チャンネル音声信号が再生されて、供給されている。
さらに、ＭＰＥＧエンコーダ５には、ＣＣサーバ４５により生成されるクローズドキャプション信号が供給される。
【００８８】
そのクローズドキャプション信号は、例えば英語のテレビ番組の映像や声と共に画面の下部に表示するようにした字幕表示用の信号であり、その字幕を見ることにより英語の視覚的理解力を高めることができるなど、必要なときに字幕表示を行うための信号である。
【００８９】
そのクローズドキャプション信号は映像を再生中のＨＤ−ＶＴＲより得たタイムコード（ＴＣ）をＴＣＧＲ４４により読み込み、それを基にＣＣサーバ４５用のタイムコードを生成してＣＣサーバ４５に供給する。そして、ＣＣサーバ４５は再生中の映像信号に同期したクローズドキャプション信号を得てＭＰＥＧエンコーダ５に供給する。ここでは、ＨＤ−ＶＴＲＴ１０ａの再生開始時に出力されるタイムコードを初期値として自走するタイムコードを用いて信号を生成している。
【００９０】
ＭＰＥＧエンコーダ５では、入力された映像及び音声信号のそれぞれを圧縮符号化すると共に、符号化されたそれぞれの信号、及びクローズドキャプションのデータを時分割配列し、ＭＰＥＧトランスポートストリーム（ＭＰＥＧ−ＴＳ）信号を生成し、Ｄ−ＶＨＳフォーマッタ６に供給する。
【００９１】
そこで、映像信号はＤ−ＶＨＳ標準により規定される信号フォーマットへの変換処理、及びキャプチャー画像の作成処理がなされる。そのフォーマット処理のされた信号はＤ−ＶＨＳ記録装置に供給され、その信号はＤ−ＶＨＳテープに記録される。また、信号の一部はＤ−ＶＨＳデコーダ８１に供給されてＤ−ＶＨＳフォーマットされた信号のフォーマット化が解かれて、得られるＭＰＥＧ−ＴＳ信号はＭＰＥＧデコーダ８２により復号化される。
【００９２】
復号化されて得られる映像信号及び音声信号は視聴装置８３に供給されて表示されると共に、音声信号は５．１チャンネルの音場再生装置により音場が再生され、Ｄ−ＶＨＳに記録されるＨＤＴＶ映像信号と、２又は５．１チャンネル音声信号とが正常に再生され、さらにキャプション信号による表示が正常になされるかがモニターされる。
【００９３】
以上、本発明の第３の実施例によるＤ−ＶＨＳテープにクローズドキャプションデータ、５．１チャンネル音声信号及び高品位映像を記録するためのオーサリング装置の構成と動作について述べた。
次に、オーサリング装置により制作された信号を伝送路に送出する第４の実施例について述べる。
【００９４】
＜第４実施例＞
図９に、本発明の第４の実施例に関わるオーサリング装置の構成を示し、図面を参照し、その動作について説明する。なお、説明の簡略のため、第１及び第３の実施例における構成と同一の構成については、同一の参照符号を付し、その説明を省略する。
【００９５】
同図に示すオーサリング装置２ｂは、オーサリング装置２ａに比し、Ｄ−ＶＨＳフォーマッタ６の代りにパケット化エンコーダ９が、そして、Ｄ−ＶＨＳデコーダ８１の代りにパケットデコーダ９１が配置されている点で異なっている。
【００９６】
そして、ＭＰＥＧエンコーダ５で生成されたＭＰＥＧトランスポートストリーム信号はパケット化エンコーダ９により、通信路に適応させたパケット化信号として生成される。
【００９７】
その通信路は、有線通信網、ＣＡＴＶ放送網、インターネット放送網、及び特定の契約関係にある小劇場などへの映像信号伝送路などである。パケット化エンコーダ９は、それらの通信路での伝送パケット規格に従ってＭＰＥＧトランスポートストリームのパケット化を行い、パケット化された信号をその通信路に送出する。
【００９８】
一方、パケット化された信号の一部はパケットデコーダ９１に供給されてそのパケット化が解かれ、解かれて得られるＭＰＥＧ−ＴＳ信号はＭＰＥＧデコーダ８２により復号化され、視聴装置８３に供給されて映像の表示、字幕の表示及び多チャンネル音声信号の再生がなされ、通信路に送出された信号がモニターされる。
【００９９】
以上、第１〜第４の実施例によりテープＡ及びテープＢの、プレイリストにより指定される個所を繋ぎ合わせてシームレスに再生するディジタル記録テープの調相再生方法について述べた。
【０１００】
そして、ここでは簡単のために２本のテープの調相再生について述べたが、複数台のＶＴＲを同様に制御して、複数のテープのシームレス連続再生を行うことができる。特に、通信路に送出する場合の連続再生時間はＤ−ＶＨＳ記録用信号の送出に比し長い時間が必要とされるため、複数台のＶＴＲを用いる同期調相方法は好適に動作する。
【０１０１】
また、そのときの複数ＶＴＲの接続はカスケードに接続する場合、及び複数の入力切換のできるスイッチャーに各ＶＴＲを並列接続して切換える場合のいずれによっても実現可能である。
【０１０２】
さらに、ディジタル記録テープの調相再生方法を主に述べたが、その方法を搭載するディジタル記録テープの調相再生装置も容易に実現できる。
さらにまた、ディジタル記録テープの調相再生装置の制御動作をコンピュータを用いて行う場合のディジタル記録テープの調相再生用プログラムも同様にして実現できる。
【０１０３】
【発明の効果】
本発明のディジタル記録テープの調相再生方法によれば、第１及び第２のテープのそれぞれを再生して得られる各々の、画像枚数を最小単位とするタイムコードを複数回交互に繰り返して読み出し、第ｎ回目及び第ｎ＋２回目に同一のタイムコード値として読み出される第１の同一タイムコード値と、第ｎ＋１回目及び第ｎ＋３回目に同一のタイムコード値として読み出される第２の同一タイムコード値とを得、第１の同一タイムコード値及び第２の同一タイムコード値との差である同一タイムコード差と、第１のテープの再生終了画面に対するタイムコード値及び第２のテープの再生開始画面に対するタイムコード値の差である同期タイムコード差と比較し、それらのタイムコード差が等しくなるように第２のテープの再生速度を早く又は遅く設定して行う調相再生のための動作を、同一タイムコード差と同期タイムコード差とが等しくなる迄繰り返して行うようにしているため、第１のテープの再生終了画面に続く第２のテープの再生開始画面からの映像信号を連続した映像信号として、切換えて出力することができる。
【０１０４】
さらに、再生速度を早く又は遅く設定して行う調相再生のための動作は所定の画像枚数期間再生速度を変化させて後に標準再生速度に戻して後の定常化されたタイムコードの読み出しを行うようにしているため、ディジタル記録テープの再生、圧縮記録信号の復号化、及び復号化された映像信号を一時記憶するフレームバッファへの記憶に係るそれぞれの時間が可変されて出力されるような復号化映像信号に対しても、誤検出に基づくタイムコードが原因となり、誤った再生速度の設定を行うことをなくすことができるため、好適な調相再生制御を行うことができる。
【０１０５】
従って、市場にある画像枚数を最小単位とするタイムコードを出力するディジタルＶＴＲに改造を施すことなく、ディジタルＶＴＲから出力されるタイムコードをパソコンなどの制御装置により読み出し、その制御装置により上記の方法を用いたＶＴＲの再生速度制御を行うことにより、複数のディジタル記録テープに対して予め設定した再生終了画面の位置に続けて、他のテープに対して設定した再生開始画面の位置からの映像信号を、繋ぎ合わせた連続映像信号として再生することのできるディジタル記録テープの調相再生方法を提供することができる効果を有している。
【図面の簡単な説明】
【図１】本発明の、第１実施例におけるオーサリング装置の概略構成例を示した図である。
【図２】本発明の、第１実施例における再生開始及び再生終了のタイムコードを指定するための表示画面例を示した図である。
【図３】本発明の、第１実施例における２台のＶＴＲで再生されるテープＡ及びテープＢの再生動作に係るタイミング例を示した図である。
【図４】本発明の、第１実施例における２台のＶＴＲの同期調相に係る前半部の動作をフローチャートにより例示した図である。
【図５】本発明の、第１実施例における２台のＶＴＲの同期調相に係る後半部の動作をフローチャートにより例示した図である。
【図６】本発明の、第１実施例におけるテープＡ及びテープＢのパソコンにより行われるタイムコード読み出しの時間関係を示した図である。
【図７】本発明の、第２実施例における記録用オーサリング装置の概略構成例を示した図である。
【図８】本発明の、第３実施例における記録用オーサリング装置の構成を例示した図である。
【図９】本発明の、第４実施例における通信用オーサリング装置の構成を例示した図である。
【符号の説明】
１  オーサリング装置
１ａ  第１のＶＴＲ
１ｂ  第２のＶＴＲ
２ａ、２ｂ  オーサリング装置
３  パソコン
４  信号発生器
５  ＭＰＥＧエンコーダ
６  Ｄ−ＶＨＳフォーマッタ
７  Ｄ−ＶＨＳ記録装置
９  パケット化エンコーダ
１０ａ、１０ｂ  ＨＤ−ＶＴＲ
１１  タイムコード回路
１２  速度設定回路
１３  インタフェース回路
１４  切換回路
１５  録再回路
１６ａ、１６ｂ  記録媒体
４１  ＤＭＲ
４２  ドルビーＥデコーダ
４３  ＡＣ−３エンコーダ
４４  ＴＣＧＲ
４５  ＣＣサーバ
８１  Ｄ−ＶＨＳデコーダ
８２  ＭＰＥＧデコーダ
８３  視聴装置
９１  パケットデコーダ
【図１】
2004193767.tif 000003
【図２】
2004193767.tif 000004
【図３】
2004193767.tif 000005
【図４】
2004193767.tif 000006
【図５】
2004193767.tif 000007
【図６】
2004193767.tif 000008
【図７】
2004193767.tif 000009
【図８】
2004193767.tif 000010
【図９】
2004193767.tif 000011